(57)【要約】【課題】本発明は、端子ピンを金属封口板にガスケットを介してかしめ固着する密閉型電池の封口体で、長年の使用によるガスケットと金属封口板の両面および端子ピンの両端の径大部との間の気密性の劣化を防ぎ、電解液が外部へ漏れ出にくくする密閉型電池の封口体を提供する。【解決手段】金属封口板２の貫通孔２１に合成樹脂でできたガスケット１の筒部１１を密着接合させて端子ピン挿入孔１４となし、筒部１１の両端に同じ合成樹脂で金属封口板２の両面に密着させて外周方向に延出させた鍔部１２を有するように金属封口板２と一体成形してできた密閉型電池の封口体において、鍔部１２の外周縁１３に圧縮変形の少ない合成樹脂でできた環状の凸壁を形成して剛性をもたせた。【選択図】図１
2012234785.tif 000002
【特許請求の範囲】
【請求項１】
金属封口板の貫通孔に合成樹脂でできたガスケットの筒部を密着接合させて端子ピン挿入孔となし、前記筒部の両端に同じ合成樹脂で前記金属封口板の両面に密着させて外周方向に延出させた鍔部を有するように金属封口板と一体成形してできた密閉型電池の封口体において、前記鍔部の外周縁に圧縮変形の少ない合成樹脂でできた環状の凸壁を形成して前記外周縁に剛性をもたせたことを特徴とする密閉型電池の封口体。
【請求項２】
前記ガスケットの筒部および鍔部は同じ熱可塑性樹脂でできており、前記鍔部の外周縁は熱硬化性樹脂でできたことを特徴とする請求項１記載の密閉型電池の封口体。
【請求項３】
前記ガスケットの筒部および鍔部は同じ熱可塑性樹脂でできており、前記鍔部の外周縁は剛性をもたせる充填剤を含有してなる熱可塑性樹脂でできたことを特徴とする請求項１記載の密閉型電池の封口体。
【請求項４】
前記金属封口板にはその両面から突出した環状リブを形成してあり、前記鍔部を金属封口板の両面に密着接合させるに際し、前記鍔部の外周縁が前記環状リブを内包してガスケットと金属封口板とを一体成形してできたことを特徴とする請求項１から３の何れかひとつに記載の密閉型電池の封口体。
【請求項５】
前記筒部には内部にゴム部材からなる芯部を備えたことを特徴とする請求項１から４の何れかひとつに記載の密閉型電池の封口体。
【請求項６】
請求項１から５の何れかひとつに記載の密閉型電池の封口体で、その端子ピン挿入孔に端子ピンの軸部を挿入して前記軸部の両端が突出するように前記金属封口板に端子ピンを配置させた状態で、前記軸部の両端を押圧して端子ピンをかしめることにより形成した軸部の径より大きい径大部が前記ガスケットの筒部の鍔部に密着接合されてなり、端子ピンを前記金属封口板から電気的に絶縁させてできた密閉型電池の端子ピン付き封口体であって、前記端子ピンの径大部の外側に前記鍔部の外周縁があることを特徴とする密閉型電池の端子ピン付き封口体。
【請求項７】
請求項１から５の何れかひとつに記載の密閉型電池の封口体で、端子ピンの軸部の少なくとも一端に金属プレートを有し、前記端子ピン挿入孔に端子ピンの軸部を挿入して前記軸部の両端が突出するように前記金属封口板に端子ピンを配置させた状態で、前記軸部の両端を押圧して前記金属プレートを介して端子ピンをかしめることにより形成した軸部の径より大きい径大部が前記金属プレートを介して前記ガスケットの筒部の鍔部に密着接合されてなり、端子ピンおよび前記金属プレートを前記金属封口板から電気的に絶縁させてできた密閉型電池の端子ピン付き封口体であって、前記金属プレートの外側に前記鍔部の外周縁があることを特徴とする密閉型電池の端子ピン付き封口体。
【請求項８】
請求項６または７に記載の密閉型電池の端子ピン付き封口体を電解液と電極を有する密閉型電池本体の開口端に設けた密閉型電池であって、前記端子ピンまたは金属プレートと密閉型電池本体内の電極とを接続させるとともに前記金属封口板または密閉型電池本体と密閉型電池本体内の他の電極とを接続させて端子ピン付き封口体を密閉型電池本体の開口端に設けて、密閉型電池本体と金属封口板とを気密性をもたせて固着したことを特徴とする密閉型電池。
【発明の詳細な説明】
【技術分野】
【０００１】  本発明は、密閉型電池の封口体およびその封口体を用いた密閉型電池に関する。
【背景技術】
【０００２】  密閉型電池は、開口端を有する密閉型電池本体内に正極と陰極の電極および電解液を収容したものであり、その電解液がその開口端から外部へ漏れ出ないように封口体にてその開口端を封止させている。この封口体には電極の正極もしくは陰極と電気接続された外部端子となる端子ピンが設けられている。このような端子ピン付き封口体にあっては、金属封口板の端子ピン挿入孔に合成樹脂でできたガスケットを介して端子ピンの軸部を挿入して、その軸部の両端を突出させて押圧することにより、軸部の径より大きい径大部を形成するようにして端子ピンを金属封口板にガスケットを介してかしめ固着して、ガスケットを金属封口板の両面および端子ピン挿入孔に密着接合させている。このような端子ピンのかしめ加工では、ガスケットに大きな機械的なストレスを与えるので、ガスケットに機械的強度や化学的安定性の高い材料を用いて金属封口板の端子ピン挿入孔と端子ピンの軸部との間を電気的に絶縁させ、かつ密着接合をさせるよう対策を講じている。しかし、端子ピンの突出した軸部を押圧して径大部がガスケットを圧縮すると、ガスケットの端子ピンに近い部位は圧縮密度が高くなり、密閉型電池を長年使用すると、充放電の繰り返しによる温度や内圧の上昇でガスケットが膨張収縮を繰り返し、その結果、ガスケットと金属封口板の両面および端子ピンの両端の径大部との間の気密性が劣化して電解液が外部へ漏れ出やすくなるという問題がある。【０００３】  そこで、特許文献１において、負極缶の開口部に封口板が固定されると共に、封口板の中央開口部に正極端子板（本願の端子ピン）がかしめ固定され、負極缶の内部に収容された電極体が発生する電力を、正極端子板および負極缶から外部へ取り出すことが可能な電気エネルギー蓄積デバイスにおいて、ガスケットを互いに係合するポリプロピレン樹脂やポリエチレン樹脂からなる２種の絶縁部材で構成して、正極端子板と封口板とをこれらの絶縁部材を介してかしめ固着させる際、その両絶縁部材の係合部が、封口板と正極端子板のかしめ部との間に挟圧されて、両絶縁部材が互いに係合したまま相対的なずれた状態で互いに圧着されることにより、正極端子板のかしめ固着に伴って両絶縁部材に生ずることとなる変形量の大部分が吸収され、各絶縁部材に生じる変形は十分に小さくなって、両絶縁部材の変形に伴う破損が防止されるようにした電気エネルギー蓄積デバイスが提案されている。【０００４】  しかし、特許文献１のような２種の絶縁部材から構成されガスケットでは、封口板と正極端子板のかしめ固着時に両絶縁部材の変形に伴う破損が防止されるようにしても、両絶縁部材の外周縁には剛性をもたせていないので、密閉型電池を長年使用すると、充放電の繰り返しによる温度や内圧の上昇でガスケットに膨張収縮が繰り返されることにより、両絶縁部材がその圧着部から外周縁方向に伸びようとする応力歪を吸収することができないので、各絶縁部材と封口板および正極端子板との間および両絶縁部材の係合部間における気密性が劣化することになる。【０００５】  そこで、特許文献２において、絶縁性、気密性に優れ、絶縁部材（本願のガスケット）と金属板（本願の金属封口板）、電極導出ピン（本願の端子ピン���との間の気密保持性が良好で、経時的な変化が小さく信頼性が高い密閉型電池を提供することを課題として、電極導出ピンの頭部（本願の径大部）との接触面に、貫通孔の周囲を一周する環状の上部凸条部および下部凸条部を形成することにより、電極導出ピンをかしめた際に上下の凸条部に圧力が集中させるようにした電極端子を有する密閉型電池が提案されている。【０００６】  しかし、特許文献２のように貫通孔の周囲において圧力が集中させるようにしているが、外周縁方向に伸びようとする応力歪を吸収するように配慮されていないので、充放電の繰り返しによる温度や内圧の上昇で絶縁部材に膨張収縮が繰り返されることにより、絶縁部材がその凸条部から外周縁方向に伸びようとする応力歪を吸収することができないので、絶縁部材と電極導出ピンの頭部および金属板における気密性が劣化することを十分に防ぐにはいたっていない。
【先行技術文献】
【特許文献】
【０００７】
【特許文献１】特開２０００−３３１６５６号公報
【特許文献２】特開２００６−２１６４１１号公報
【発明の概要】
【発明が解決しようとする課題】
【０００８】  本発明は、上記の問題点を解消するために、密閉型電池を長年使用することによるガスケットと金属封口板の両面および端子ピンの両端の径大部との間の気密性の劣化を防ぎ、電解液が外部へ漏れ出にくくする密閉型電池の封口体およびその封口体を用いた密閉型電池を提供することを目的とする。
【課題を解決するための手段】
【０００９】  本発明の密閉型電池の封口体に係る請求項１に記載の発明は、金属封口板の貫通孔に合成樹脂でできたガスケットの筒部を密着接合させて端子ピン挿入孔となし、前記筒部の両端に同じ合成樹脂で前記金属封口板の両面に密着させて外周方向に延出させた鍔部を有するように金属封口板と一体成形してできた密閉型電池の封口体において、前記鍔部の外周縁に圧縮変形の少ない合成樹脂でできた環状の凸壁を形成して前記外周縁に剛性をもたせたことを特徴とする。同請求項２に記載の発明は、請求項１記載の密閉型電池の封口体で、前記ガスケットの筒部および鍔部は同じ熱可塑性樹脂でできており、前記鍔部の外周縁は熱硬化性樹脂でできたことを特徴とする。同請求項３に記載の発明は、請求項１記載の密閉型電池の封口体で、前記ガスケットの筒部および鍔部は同じ熱可塑性樹脂でできており、前記鍔部の外周縁は剛性をもたせる充填剤を含有してなる熱可塑性樹脂でできたことを特徴とする。同請求項４に記載の発明は、請求項１から３の何れかひとつに記載の密閉型電池の封口体で、前記金属封口板にはその両面から突出した環状リブを形成してあり、前記鍔部を金属封口板の両面に密着接合させるに際し、前記鍔部の外周縁が前記環状リブを内包してガスケットと金属封口板とを一体成形してできたことを特徴とする。同請求項５に記載の発明は、請求項１から４の何れかひとつに記載の密閉型電池の封口体で、前記筒部には内部にゴム部材からなる芯部を備えたことを特徴とする。【００１０】  本発明の密閉型電池の封口体で、端子ピン付き封口体に係る請求項６に記載の発明は、請求項１から５の何れかひとつに記載の密閉型電池の封口体で、その端子ピン挿入孔に端子ピンの軸部を挿入して前記軸部の両端が突出するように前記金属封口板に端子ピンを配置させた状態で、前記軸部の両端を押圧して端子ピンをかしめることにより形成した軸部の径より大きい径大部が前記ガスケットの筒部の鍔部に密着接合されてなり、端子ピンを前記金属封口板から電気的に絶縁させてできた密閉型電池の端子ピン付き封口体であって、前記端子ピンの径大部の外側に前記鍔部の外周縁があることを特徴とする。同請求項７に記載の発明は、請求項１から５の何れかひとつに記載の密閉型電池の封口体で、端子ピンの軸部の少なくとも一端に金属プレートを有し、前記端子ピン挿入孔に端子ピンの軸部を挿入して前記軸部の両端が突出するように前記金属封口板に端子ピンを配置させた状態で、前記軸部の両端を押圧して前記金属プレートを介して端子ピンをかしめることにより形成した軸部の径より大きい径大部が前記金属プレートを介して前記ガスケットの筒部の鍔部に密着接合されてなり、端子ピンおよび前記金属プレートを前記金属封口板から電気的に絶縁させてできた密閉型電池の端子ピン付き封口体であって、前記金属プレートの外側に前記鍔部の外周縁があることを特徴とする。【００１１】  本発明の密閉型電池に係る請求項８に記載の発明は、請求項６または７に記載の密閉型電池の端子ピン付き封口体を電解液と電極を有する密閉型電池本体の開口端に設けた密閉型電池であって、前記端子ピンまたは金属プレートと密閉型電池本体内の電極とを接続させるとともに前記金属封口板または密閉型電池本体と密閉型電池本体内の他の電極とを接続させて端子ピン付き封口体を密閉型電池本体の開口端に設けて、密閉型電池本体と金属封口板とを気密性をもたせて固着したことを特徴とする。
【発明の効果】
【００１２】  本発明の封口体においては、金属封口板の貫通孔に合成樹脂でできたガスケットの筒部を密着接合させて端子ピン挿入孔となし、前記筒部の両端に同じ合成樹脂で前記金属封口板の両面に密着させて外周方向に延出させた鍔部を有するように金属封口板と一体成形してできており、その端子ピン挿入孔に端子ピンの軸部を挿入して前記軸部の両端が突出するように前記金属封口板に端子ピンを配置させた状態で、前記軸部の両端を押圧して端子ピンをかしめることにより端子ピン付き封口体となし、前記軸部の両端を押圧により軸部の径より大きい径大部にてガスケットの筒部および鍔部を圧縮させるとき、鍔部がその外周縁方向に伸びようとする応力歪が発生するが、前記鍔部の外周縁に圧縮変形の少ない合成樹脂でできた環状の凸壁を形成して前記外周縁に剛性をもたせているので、前記応力歪を吸収させることができる。その結果、内部に電解液を有する密閉型電池にあっては、その長年使用によりガスケットが膨張収縮されても、ガスケットの鍔部がその外周縁方向に伸びようとせずに、ガスケットと端子ピンの両端の径大部との間の気密性の劣化を防止して、電解液が外部へ漏れ出にくくして、密閉型電池本体と金属封口板とを気密性をもたせた密閉型電池を提供することができる。【００１３】  さらに、本発明は、密閉型電池の封口体に用いるガスケットの筒部をゴム部材からなる芯部と前記芯部を包囲する熱可塑性樹脂部材とを一体成形して形成することにより、端子ピンの軸部を金属封口板の端子ピン挿入孔に挿入して前記金属封口板に端子ピンを配置させた状態で、前記軸部の両端を押圧して端子ピンがガスケットを介して金属封口板にかしめ固着される際、端子ピンの軸部が金属封口板の貫通孔に交叉する方向に伸びようとしてガスケットの筒部を圧縮させるが、ガスケットの筒部内のゴム部材の弾力性により金属封口板の貫通孔に交叉する方向の押圧力を向上させて、端子ピンの軸部とガスケットの筒部の内周面との間およびガスケットの筒部の外周面と金属封口板の貫通孔との間の気密性を維持することができ、しかも、ゴム部材であるので、電気的に絶縁もさせることができる。
【図面の簡単な説明】
【００１４】
【図１】本発明の実施形態１で端子ピンを有する密閉型電池の封口体を示す断面図である。
【図２】同上の密閉型電池の封口体に使用する金属封口板の断面図である。
【図３】同上の密閉型電池の封口体を示す断面図である。
【図４】同上の密閉型電池の封口体に端子ピンの軸部の両端を押圧して端子ピンを金属封口板にガスケットを介してかしめ固着する分解した断面図である。
【図５】同上の密閉型電池の封口体に端子ピンの軸部の両端を押圧して端子ピンを金属封口板にガスケットを介してかしめ固着する加工状態を示す断面図である。
【図６】同上の密閉型電池の封口体に端子ピンかしめ固着する際の応力発生状態を示す断面図である。
【図７】図６の平面図である。
【図８】本発明の実施形態２で端子ピンを有する密閉型電池の封口体を示す断面図である。
【図９】同上の密閉型電池の封口体に使用する金属封口板の断面図である。
【図１０】同上の密閉型電池の封口体を示す断面図である。
【図１１】同上の密閉型電池の封口体に端子ピンの軸部の両端を押圧して端子ピンを金属封口板にガスケットを介してかしめ固着する分解した断面図である。
【図１２】同上の密閉型電池の封口体に端子ピンの軸部の両端を押圧して端子ピンを金属封口板にガスケットを介してかしめ固着する加工状態を示す断面図である。
【図１３】本発明の実施形態３で端子ピンを有する密閉型電池の封口体を示す断面図である。
【図１４】同上の密閉型電池の封口体を示す断面図である。
【図１５】同上の密閉型電池の封口体に端子ピンの軸部の両端を押圧して端子ピンを金属封口板にガスケットを介してかしめ固着する分解した断面図である。
【図１６】本発明の実施形態４で密閉型電池の封口体を示す断面図である。
【図１７】同上で端子ピンを有する密閉型電池の封口体を示す断面図である。
【図１８】本発明の端子ピン付き封口体を用いた密閉型電池を示す断面図である。
【発明を実施するための形態】
【００１５】  以下、本発明の実施形態について図面を参照して説明する。
【００１６】  （実施形態１）
図１から図７において、Ａは密閉型電池の封口体であり、Ｂは端子ピン３を有する密閉型電池の封口体であり、外部へ出力する端子として、この端子ピン３自体若しくは図示しないが端子ピン３に被冠したキャップを用いることができる。
【００１７】  図２は、図１８に示す密閉型電池Ｃの密閉型電池本体８の開口端８１を閉じる蓋となる形状の金属封口板２を示す断面図で、この金属封口板２は、ステンレス、アルミニウム、アルミニウム合金、銅および銅合金の何れかの金属材でできており、端子ピン３を設ける円形状または角形状の貫通孔２１が形成されている。また、図示しないが、必要に応じて密閉型電池本体８の内圧が一定値を越えると破断してガスを放出する安全弁を備える孔や電解液８２を注入する孔が形成されていてもよい。
【００１８】  図３において、Ａは密閉型電池の封口体で、金属封口板２とこの金属封口板２の表面および貫通孔２１を電気的に絶縁する合成樹脂でできたガスケット１とからなる。
【００１９】  金属封口板２とガスケット１は、円板状でもよいが、図７では、細長板状を示している。ガスケット１は、筒部１１とその両端に外周方向に延出した鍔部１２とからなり、合成樹脂で一体成形してできている。この筒部１１は円筒または角筒の形状で金属封口板２の貫通孔２１に密着接合されて端子ピン挿入孔１４となり、鍔部１２は金属封口板２の表面に密着接合されている。これら筒部１１と鍔部１２とが一体成形される合成樹脂としては、ＰＦＡ樹脂（テトラフルオロエチレン−パーフルオロアルコキシエチレン共重合体樹脂）、ＰＰＳ樹脂（ポリフェニレンサルファイド樹脂）、ＰＰ樹脂（ポリプロピレン樹脂）、ＰＥＥＫ樹脂（ポリエーテルエーテルケトン樹脂）およびＦＥＰ樹脂（テトラフルオロエチレン−ヘキサフルオロプロピレン共重合体）などの熱可塑性樹脂が例示できる。また、鍔部１２の外周縁１３はその厚さ方向に突出した環状の凸壁の形状で、筒部１１および鍔部１２の材質とは異なる圧縮変形の少ない合成樹脂でできた外周縁１３が形成されており、この外周縁１３は筒部１１および鍔部１２と２色成形により一体成形して、筒部１１および鍔部１２の成形部材よりも剛性が高くなるようにしている。このように、外周縁１３を筒部１１および鍔部１２よりも剛性が高くなるようにするには、外周縁１３の成形材料にはＰＰＳ樹脂（ポリフェニレンサルファイド樹脂）を用い、筒部１１および鍔部１２の成形材料にはＰＦＡ樹脂（テトラフルオロエチレン−パーフルオロアルコキシエチレン共重合体樹脂）を用いるようにして硬い合成樹脂と柔らかい合成樹脂との組み合わせを選定すればよいが、圧縮変形の少ない合成樹脂、例えば、上記熱可塑性樹脂にガラス繊維や無機フィラーなどを含有させるか、エポキシ樹脂やフェノール樹脂などの熱硬化性樹脂が用いられる。このように、鍔部１２の外周縁１３はその厚さ方向に突出した環状の凸壁の形状となっているが、鍔部１２の外周縁１３以外の部分よりも剛性が高くなるようにすればよいので、筒部１１とその両端に外周方向に延出した鍔部１２とが同じ合成樹脂で一体成形しているのであれば、外周縁１３以外の部分においてもその厚さ方向に突出した凸部が形成されるなど平坦でなくてもよい。
【００２０】  また、金属プレート４は、端子ピン３の両端を押圧してかしめる際に、端子ピン３の径大部３３でガスケット１が損傷するのを防止するためのワッシャであるが、このような金属プレート４を用いずに、径大部３３のみでもよい。一方、金属プレート５は、金属プレート４と同様な作用のワッシャであるとともに、その一端は金属封口板２から離れる方向に突出させたリード板５１に接続されており、このリード板５１は、密閉型電池本体８内の電極体２の正極（または陰極）の電極と電気接続されるようにリード板５１に接続されている。
【００２１】  図４において、上述のように形成した密閉型電池の封口体Ａの下方位置に、端子ピン３がその軸部３１の一端の径大部３２に予め金属プレート５を当接または固着した状態で配置させ、上方位置に金属プレート４を配置させる。
【００２２】  図５は、このようにして配置された端子ピン３が金属プレート４、５およびガスケット１を介して金属封口板２にかしめ固着される加工状態を示す。軸部３１の一端の径大部３２に予め金属プレート５を取り付けて後、軸部３１の他端を端子ピン挿入孔１２に挿入して金属封口板２の表面から突出させてその他端に金属プレート４を取り付けて金属封口板２の表面（図では上面および下面）に金属プレート４、５を有するように端子ピン３を配置させた状態で、軸部３１の両端を矢印Ｐ方向およびＱ方向に押圧することにより、その他端はＲ方向に延出して軸部３１の径より大きい径大部３３が形成される。この場合、端子ピン３には図中で上面側の一端に予め径大部３２が形成されているが、下面側に形成しておいてもよい。また、予め径大部を形成せずに、軸部３１を端子ピン挿入孔１２に挿入できるようにしてその両端を矢印Ｐ方向およびＱ方向に押圧してＲ方向に延出させて径大部３２、３３を形成してもよい。このように、端子ピン３の軸部３１の両端を矢印Ｐ方向およびＱ方向に押圧して径大部３２、３３が形成されるようにして端子ピン３がガスケット１を介して金属封口板２にかしめ固着されることにより、端子ピン３の軸部３１と金属封口板２の貫通孔２１とはガスケット１の筒部１１を介して電気的に絶縁しかつ密着接合されるとともに、端子ピン３の径大部３２、３３にある金属プレート４、５と金属封口板２の表面とはガスケット１の鍔部１２を介して電気的に絶縁しかつ密着接合される。
【００２３】  端子ピン３の軸部３１の両端を矢印Ｐ方向およびＱ方向に押圧してＲ方向に延出させて径大部３２、３３を形成すると、ガスケット１の筒部１１および鍔部１２は端子ピン３の径大部３２、３３や金属プレート４、５の部位において圧縮密度が高くなるとともに、図６および図７の矢印に示すように、応力が発生して、ガスケット１の筒部１１および鍔部１２は圧縮されて矢印Ｒ方向に伸びようとする応力歪が発生する。ところが、この鍔部１２が矢印Ｒ方向にある外周縁１３は剛性が高いので、この外周縁１３にて矢印Ｒ方向に伸びようとする応力歪を少なくして、ガスケットが膨張収縮を繰り返してもガスケットと金属封口板の両面および端子ピンの両端の径大部との間の気密性の劣化を防ぎ、電解液が外部へ漏れ出にくくした密閉型電池の封口体Ａまたは端子ピン３を有する密閉型電池の封口体Ｂが得られる。従って、ガスケット１の鍔部１２の外周縁１３の位置は、筒部１１に近い位置で、端子ピン３の径大部３２、３３や金属プレート４、５の部位よりも離れた位置を設定すればよい。
【００２４】  なお、図３に示す金属封口板２とガスケット１からなる封口体Ａは、金属封口板２の貫通孔２１にガスケット１の筒部１１を配置させ、金属封口板２の表面（図１においては上面および下面）にガスケット１の鍔部１２を配置させて、ガスケット１と金属封口板２とを一体成形してできている。この場合、ガスケット１と金属封口板２とを密着接合させるようにする必要があり、好ましくは、金属封口板２の貫通孔２１と金属封口板２の表面またはガスケット１の筒部１１の外周面とガスケット１の鍔部１２の内面（金属封口板２に対面する面）にメルカプト基、チオカルボニル基、シアノ基、イソシアナート基、アミノ基、アンモニウム基、ピリジニウム基、アジニル基、カルボキシル基、ベンゾトリアゾール基、トリアジンチオール基等の何れかまたはこれらを組み合わせた化学的処理剤からなる接着剤の薄膜層を形成して後、ガスケット１の筒部１１と端子ピン１の貫通孔２１およびガスケット１の鍔部１２と金属封口板２の表面とを一体に成形することにより、さらに強固に密着接合される。
【００２５】  （実施形態２）
図８から図１２は、鍔部１２の外周縁１３に剛性をもたせて筒部１１を外周方向へ圧縮させたとき鍔部１２の合成樹脂の密度が密になって発生する応力歪を吸収して圧縮変形が少なくなるよう剛性をより一層高くするための異なる実施形態で、Ａは密閉型電池の封口体であり、Ｂは端子ピン３を有する密閉型電池の封口体であり、他の符号は図１から図７に示す実施形態１と同じである。
【００２６】  金属封口板２は実施形態１と同じ金属材でできており、その両面から突出した環状リブ２２が形成されている。この場合、環状リブ２２の突出高さは、ガスケット１の鍔部１２の外周縁１３に環状リブ２２が内包されて外周縁１３に剛性をもたせるようにする高さである。例えば、外周縁１３が鍔部１２の表面から突出した環状の凸壁で形成されたものであれば、環状リブ２２は鍔部１２の厚さよりも大きく設定すればよい。この環状リブ２２は、金属封口板２と同様なステンレス、アルミニウム、アルミニウム合金、銅および銅合金の何れかの金属材からなる金属環を金属封口板２の両面に溶接などで固着するかセラミックや合成樹脂で一体に形成されているが、このような金属封口板２別体とせずに、金属封口板２に上面に突出させた切り起こし片を環状に形成し、下面には上面の切り起こし片のない部位から逆方向に突出させた切り起こし片を環状に形成してもよい。
【００２７】  このように形成された金属封口板２の環状リブ２２が筒部１１の鍔部１２の外周縁１３の部位にあり、筒部１１を金属封口板２の貫通孔２１の部位にある配置で金属封口板２とガスケット１とを一体成形することにより、この筒部１１は金属封口板２の貫通孔２１の内周面に密着接合されて端子ピン挿入孔１４を形成し、この筒部１１の両端は外周方向に延出された平板状の鍔部１２が形成されている。この鍔部１２の外周縁１３には上記環状リブ２２を内包されて外周縁１３に剛性をもたせることにより、この鍔部１２が矢印Ｒ方向にある外周縁１３は剛性が高いので、端子ピン３の軸部３１の両端を矢印Ｐ方向およびＱ方向に押圧してＲ方向に延出させて軸部３１の径より大きい径大部３２、３３を形成する際に、矢印Ｒ方向に伸びようとするガスケット１の鍔部１２の応力歪をこの外周縁１３にて少なくするようにしている。このようにして形成された密閉型電池の封口体Ａは、軸部３１の一端の径大部３２に予め金属プレート５を取り付けて後、端子ピン３の軸部３１の他端を端子ピン挿入孔１２に挿入して金属封口板２の表面から突出させ、その他端に金属プレート４を取り付けて金属封口板２の表面に金属プレート４を有するように端子ピン３を配置させた状態で、軸部３１の両端を押圧して他端に径大部３３を形成することにより、端子ピン３を有する密閉型電池の封口体Ｂが得られる。
【００２８】  （実施形態３）
図１３から図１５は、密閉型電池の封口体の異なる実施形態で、特に、外部へ出力する端子を端子ピン自体を用いずに、金属プレート４に設ける端子６の実施形態を示し、Ａは密閉型電池の封口体であり、他の符号は図１から図７に示す実施形態１と同じである。
【００２９】  金属プレート４の一部（図では左の部位）を金属封口板２から離れる方向に突出させたリード板４１がガスケット１の外周縁１３の凸壁の内壁に接するかまたは離間して設けられており、端子ピン３との中間位置を折り曲げ加工をして突出させてこの突出させた部位に外部へ出力する端子６が設けられている。
【００３０】  この場合、図１４は、実施形態１の図３と同じ構成の密閉型電池の封口体Ａの断面図を示し、図１５は、端子ピン３の軸部３１の両端を押圧して端子ピン３を矢印Ｐ方向およびＱ方向に押圧してＲ方向に延出して軸部３１の径より大きい径大部３２、３３を形成するように金属封口板２にかしめ固着するが、実施形態２の図９に示す金属封口板２および図１０に示す封口体Ａを適用してもよい。
【００３１】  （実施形態４）
図１６および図１７は、本発明に付加して端子ピン挿入孔１２の部分における改良発明を示し、Ａは密閉型電池の封口体であり、Ｂは端子ピン３を有する密閉型電池の封口体であり、他の符号は図１から図７に示す実施形態１および図１３から図１５に示す実施形態３と同じである。
【００３２】  密閉型電池の封口体Ａは、密閉型電池Ｃの密閉型電池本体８の開口端８１（図１８参照）を閉じる蓋となる形状で貫通孔２１を有する金属封口板２と、この金属封口板２の表面および貫通孔２１を電気的に絶縁する合成樹脂でできたガスケット１とからなる。ガスケット１は、実施形態１と同様な合成樹脂でできており、金属封口板２の貫通孔２１に密着接合して端子ピン挿入孔１２となる筒部１１とその両端に設けた金属封口板２の表面に密着接合する径大な筒状のできた鍔部１２とからなるが、さらに、この合成樹脂でできた筒部１には、その内部にシリコンゴム、フッ素ゴム、ウレタンゴム、エチレンプロピレンゴムなどのゴム部材からなる環状の芯部７を有し、この芯部７を包囲するように実施形態１と同様な熱可塑性樹脂部材と一体成形されている。
【００３３】  このようにしてできた密閉型電池の封口体Ａは、実施形態３にて示す図１５と同様なかしめ加工により端子ピン３を有する密閉型電池の封口体Ｂが得られる。すなわち、端子ピン３の軸部３１の他端を端子ピン挿入孔１２に挿入して金属封口板２の表面から突出させてその他端に金属プレート４を取り付けて金属封口板２の表面に金属プレート４、５を有するように端子ピン３を配置させた状態で、軸部３１の両端を矢印Ｐ方向およびＱ方向押圧してＲ方向に延出させて他端に径大部３３を形成することにより、図１７に示す端子ピン３を有する密閉型電池の封口体Ｂが得られる。
【００３４】  この場合、図１７は、実施形態３の図１３と同じ構成の端子ピン３を有する密閉型電池Ｂの断面図を示すが、実施形態１の図１に示す端子ピン３を有する密閉型電池Ｂを適用してもよい。また、実施形態２の図９に示す金属封口板２を適用してもよい。
【００３５】  このようにして、端子ピン３の軸部３１の両端を押圧して端子ピン３がガスケット１を介して金属封口板２にかしめ固着される際、ガスケット１の筒部１１内の芯部７のゴム部材の弾力性により金属封口板２の貫通孔２１に交叉する方向（左右方向）に伸びる押圧力を向上させて、端子ピン３の軸部３１とガスケット１の筒部１１の内周面との間の気密性を維持することができる。さらに、この芯部７のゴム部材の弾力性により金属封口板２の貫通孔の貫通方向（上下方向）に伸びる押圧力を向上させて、ガスケット１の筒部１１の外周面と金属封口板２の貫通孔２１との間の気密性を維持することができるとともに、端子ピン３の径大部３２、３３とガスケット１の筒部１１および鍔部１２との間の密着性を向上させている。しかも、芯部７がゴム部材でできているので、金属封口板２の貫通孔２１の大きさに影響されず、所望の弾性力が得やすい。
（実施形態１から４を適用した密閉型電池）
【００３６】  図１８において、Ｂは実施形態１から実施形態４に示す端子ピン３を有する密閉型電池の封口体であり、Ｃは密閉型電池でその代表例としてリチウム電池が挙げられる。以下、実施形態１から実施形態４を適用した密閉型電池を説明する。
【００３７】  ８は、一端が開口した角筒状または円筒状の外殻となる密閉型電池本体で、金属封口板２を有する封口体Ｂで密閉されている。この密閉型電池本体８は端子ピン３の部位を正極端子もしくは負極端子としたとき、その対となって負極端子もしくは正極端子となるように、アルミニウムまたはその合金などの金属部材とするか、または、内表面にアルミニウム箔または蒸着やメッキなどの金属膜が形成された合成樹脂で形成してもよい。この密閉型電池本体８の内部には電解液８２および絶縁体１００にて支持された電極体９が収納されている。この電極体９は、電極の正極もしくは負極と電気接続された前述のリード板５１を有し、図示しないが、リチウム含有コバルト酸化物を活物質とするシート状の正極と、黒鉛を活物質とするシート状の負極とをセパレータを間にして構成されている。
【００３８】  密閉型電池本体８の開口端８１には、リード板５１が電極体９の電極の正極もしくは負極と接続されるようにかつこの開口端８１が閉じられるように封口体Ｂが設けられており、この開口端８１は封口体Ｂの金属封口板２とレーザ溶接などにより固着されて、密閉型電池本体８の開口端８１が密閉されている。
【産業上の利用可能性】
【００３９】  本発明の密閉型電池の封口体およびその封口体を用いた密閉型電池は電極体と外部端子と電気接続をさせる端子ピンを金属封口板にガスケットを介してかしめ固着する密閉型電池に有用である。
【符号の説明】
【００４０】１  ガスケット
１１筒部
１２鍔部
１３外周縁
２  金属封口板
２１貫通孔
３  端子ピン
３１軸部
３２、３３径大部
４、５金属プレート
７  芯部
８  密閉型電池本体
【図１】
2012234785.tif 000003
【図２】
2012234785.tif 000004
【図３】
2012234785.tif 000005
【図４】
2012234785.tif 000006
【図５】
2012234785.tif 000007
【図６】
2012234785.tif 000008
【図７】
2012234785.tif 000009
【図８】
2012234785.tif 000010
【図９】
2012234785.tif 000011
【図１０】
2012234785.tif 000012
【図１１】
2012234785.tif 000013
【図１２】
2012234785.tif 000014
【図１３】
2012234785.tif 000015
【図１４】
2012234785.tif 000016
【図１５】
2012234785.tif 000017
【図１６】
2012234785.tif 000018
【図１７】
2012234785.tif 000019
【図１８】
2012234785.tif 000020